(57)【要約】      （修正有）【課題】被配布者に今欲しい情報をスピィーディに提供し、時間的な無駄がなく内容を確認させることができると共に、電気泳動表示媒体を有効に利用することができる電気泳動表示媒体配布装置を提供する。【解決手段】書換機２０は、繰り返し書き換え可能な複数の電気泳動表示媒体を格納する格納部２１と、電気泳動表示媒体への画像の書き込みを行う書換部２２と、画像が書き込まれた電気泳動表示媒体を待機させる待機部２３と、待機部２３から電気泳動表示媒体を受け取り、被配布者が抜き取り可能に、かつ、回収可能に保持する提示部２４と、提示部２４及び待機部２３から電気泳動表示媒体を回収して格納部２１に格納する回収部２５と、を具備する。【選択図】図２
2016080905.tif 000002
【特許請求の範囲】
【請求項１】
繰り返し書き換え可能な複数の電気泳動表示媒体を格納する格納部と、前記電気泳動表示媒体への画像の書き込みを行う画像書き込み手段と、前記画像書き込み手段で前記画像が書き込まれた前記電気泳動表示媒体を待機させる待機部と、前記待機部から前記電気泳動表示媒体を受け取り、前記電気泳動表示媒体を被配布者が抜き取り可能に、かつ、回収可能に保持する提示部と、前記提示部及び前記待機部から前記電気泳動表示媒体を回収して前記格納部に格納する回収部と、を具備することを特徴とする電気泳動表示媒体配布装置。
【請求項２】
前記待機部が、複数の順番待ち部を備えていることを特徴とする請求項１記載の電気泳動表示媒体配布装置。
【請求項３】
書き込まれた前記画像の優先度に応じていずれの前記順番待ち部に保持された前記電気泳動表示媒体を前記提示部に渡すか判定することを特徴とする請求項２記載の電気泳動表示媒体配布装置。
【発明の詳細な説明】
【技術分野】
【０００１】
本発明は、電気泳動表示媒体配布装置に関する。
【背景技術】
【０００２】
スーパーストア等の商業施設で売り出しやイベント開催を顧客に案内するために、チラシを配布することや、特定の商品について割引を受けることができるクーポンを配布することが行われている。
【０００３】
また、駅構内や観光名所等で、来訪者に経路や道順等を提供するために、パンフレットを配布することも行われている。
【０００４】
これらの媒体としては紙を用いるのが一般的である。しかし、環境保護や資源の有効利用の観点から、紙に代えて、繰り返し書き換えが可能な電気泳動表示媒体の利用が検討されている。
【０００５】
例えば、特許文献１には、リライタブルペーパーを用いた情報配信システムが開示されており、リライタブルペーパーを紙の代替として利用し、紙資源の削減を図っている。
【０００６】
また、特許文献２の入館証システムでは、来訪者に情報を入力させ、アポイント先までの経路等を電気泳動表示媒体に表示して案内している。
【先行技術文献】
【特許文献】
【０００７】
【特許文献１】特開２００４−２８７６００号公報
【特許文献２】特開２００５−１４８９０８号公報
【発明の概要】
【発明が解決しようとする課題】
【０００８】
紙を媒体としたチラシ、パンフレット、クーポン等の配布物は、被配布者が手に取ってすぐに内容を把握できるという利便性がある。このため、被配布者に、今欲しい情報をスピーディーに提供し、時間的な無駄がなく確認させることができる。電気泳動表示媒体を媒体とした場合にも同様の利便性が求められる。一方、電気泳動表示媒体は紙に比べて高価であるため、できる限り少ない数で効率よく情報を提供することが求められる。
【０００９】
本発明は、このような問題点に鑑みてなされたものであり、被配布者に今欲しい情報をスピィーディに提供し、時間的な無駄がなく内容を確認させることができると共に、電気泳動表示媒体を有効に利用することができる電気泳動表示媒体配布装置を提供することを目的とする。
【課題を解決するための手段】
【００１０】
本発明の電気泳動表示媒体配布装置は、繰り返し書き換え可能な複数の電気泳動表示媒体を格納する格納部と、前記電気泳動表示媒体への画像の書き込みを行う画像書き込み手段と、前記画像書き込み手段で前記画像が書き込まれた前記電気泳動表示媒体を待機させる待機部と、前記待機部から前記電気泳動表示媒体を受け取り、前記電気泳動表示媒体を被配布者が抜き取り可能に、かつ、回収可能に保持する提示部と、前記提示部及び前記待機部から前記電気泳動表示媒体を回収して前記格納部に格納する回収部と、を具備することを特徴とする。
【００１１】
本発明によれば、被配布者は、提示部から画像が書き込まれた電気泳動表示媒体を引き抜き、配布を受けることができる。また、画像が書き込まれた電気泳動表示媒体を待機部に待機させ、提示部から電気泳動表示媒体が抜き取られたならば、待機部から提示部に電気泳動表示媒体を供給することにより、直ちに電気泳動表示媒体を配布可能な状態にすることができる。さらに、新しい画像を電気泳動表示媒体に書き込む際には、回収部により提示部及び待機部から電気泳動表示媒体を回収して格納部に格納することにより、画像が書き込まれた電気泳動表示媒体を再利用することができる。
【００１２】
本発明の電気泳動表示媒体配布装置において、前記待機部が、複数の順番待ち部を備えていることが好ましい。
【００１３】
本発明の電気泳動表示媒体配布装置において、書き込まれた前記画像の優先度に応じていずれの前記順番待ち部に保持された前記電気泳動表示媒体を前記提示部に渡すか判定することが好ましい。
【発明の効果】
【００１４】
本発明によれば、被配布者に今欲しい情報をスピィーディに提供し、時間的な無駄がなく内容を確認させることができると共に、電気泳動表示媒体を有効に利用することができる電気泳動表示媒体配布装置を提供できる。
【図面の簡単な説明】
【００１５】
【図１】本実施の形態に係る電気泳動表示媒体配布システムの全体構成図である。
【図２】本実施の形態に係る書換機の概要を示すブロック図である。
【図３】本実施の形態に係る統括機を示す機能ブロック図である。
【図４】本実施の形態に係る書換機を示す機能ブロック図である。
【図５】本実施の形態に係る書換機の搬送部を示す模式図である。
【図６】本実施の形態に係る電気泳動表示媒体配布システムにおける被配布者の電気泳動表示媒体の利用の手順を示すフローチャートである。
【図７】本実施の形態に係る電気泳動表示媒体配布システムにおける統括機の動作を示すフローチャートである。
【図８】本実施の形態に係る電気泳動表示媒体配布システムにおける書換機の動作を示すフローチャートである。
【図９】本実施の形態に係る電気泳動表示媒体配布システムにおける優先度に応じた告知情報の変化を示す説明図である。
【図１０】本実施の形態に係る書換機の一例を示す模式図である。
【図１１】本実施の形態に係る書換機の他の例を示す模式図である。
【図１２】本実施の形態に係る書換機の他の例を示す模式図である。
【図１３】本実施の形態に係る書換機の他の例を示す模式図である。
【図１４】本実施の形態に係る電気泳動表示装置を示す構成図である。
【図１５】本実施の形態に係る電気泳動表示装置の一例を示す模式図である。
【図１６】本実施の形態に係る電気泳動表示装置の他の例を示す模式図である。
【図１７】本実施の形態に係る電気泳動表示媒体の一例を示す部分拡大図及び側面図である。
【図１８】本実施の形態に係る電気泳動表示媒体の他の例を示す部分拡大断面図である。
【発明を実施するための形態】
【００１６】
以下、本発明の実施の形態について添付図面を参照して詳細に説明する。
【００１７】
図１は、本実施の形態に係る電気泳動表示媒体配布システムの全体構成図である。図１に示すように、統括機１０が複数の書換機２０に通信可能に接続されている。統括機１０は、書換機２０に画像データや優先度情報を送信する。
【００１８】
図２は、本実施の形態に係る書換機の概要を示すブロック図である。書換機２０は、繰り返し書き換え可能な複数の電気泳動表示媒体（単に媒体ともいう）を格納する格納部２１と、電気泳動表示媒体への画像の書き換え、すなわち画像の消去と画像の書き込みを行う書換部２２と、書換部２２で画像が書き込まれた電気泳動表示媒体を待機させる待機部２３と、待機部２３から電気泳動表示媒体を受け取り、電気泳動表示媒体を被配布者が抜き取り可能に、かつ、回収可能に保持する提示部２４と、提示部２４及び待機部２３から電気泳動表示媒体を回収して格納部２１に収容する回収部２５と、を具備する。
【００１９】
書換部２２には、統括機１０から出力データ２６が入力されるようになっている。
【００２０】
図３は、本実施の形態に係る統括機を示す機能ブロック図である。図３に示すように、統括機１０は、演算部３１、記憶部３２、通信デバイス３３、入力デバイス３４及び出力デバイス３５を備えている。演算部３１は、記憶部３２に記憶されたイベントデータベース（ＤＢ）３７から入力されるイベント情報と、同じく記憶部３２に記憶されたパラメータデータベース（ＤＢ）３８から入力されるパラメータに基づいて優先度情報を算出する優先度算出部３９と、優先度情報に応じて告知情報を計算・処理する告知情報計算・処理部４０と、を備えている。
【００２１】
通信デバイス３３は、書換機２０及びインターネット（イントラネット等のネットワークを含む）４１から入力されたパラメータ情報４２をパラメータデータベース３８に渡すと共に、演算部３１で算出された優先度情報及び告知情報４３を受信し、書換機２０に送信するように構成されている。
【００２２】
また、管理者４４に対し、例えばキーボード等の入力デバイス３４を介して演算部３１に命令を行わせたり、記憶部３２に情報を入力させたりできるように構成されている。また、管理者４４に対し、演算部３１及び記憶部３２からの出力を、例えばモニタ等の出力デバイス３５に出力し、閲覧させることができるように構成されている。出力デバイス３５上では、書換機２０がどのような告知情報を提示しているのか、どのような告知情報を待機させているのかを、その優先度や優先順位と共にプレビュー表示で確認することができる。
【００２３】
図４は、本実施の形態に係る書換機を示す機能ブロック図である。図４に示すように、書換機２０は、演算部５１、記憶部５２、通信デバイス５３及び搬送部５４を備えている。
【００２４】
まず、通信デバイス５３で統括機１０から受信した告知情報及び優先度情報４３が、記憶部５２に入力され、優先度情報５５及び告知情報５６として記憶されるように構成されている。
【００２５】
また、内部媒体数量、提供媒体数量及びエラー情報５７及び待機部状況５８が、搬送部５４から記憶部５２に入力され、記憶されるように構成されている。
【００２６】
一方、通信デバイス５３は、パラメータ情報４２を統括機１０に送信できるように構成されている。パラメータ情報４２は、例えば、書換機２０の内部の電気泳動表示媒体の数量、配布した電気泳動表示媒体の数量又は書換機２０で発生しているエラー情報である。パラメータ情報４２は、搬送部５４の各箇所で、電気泳動表示媒体の数量をカウントするなどして生成される。
【００２７】
また、演算部５１には、記憶部５２に記憶された優先度情報５５に基づいて優先度の比較を行う優先度比較部５９と、優先度比較部５９の結果に応じて記憶部５２に記憶された告知情報５６の表示比率を計算する表示比率計算部６０とが備えられている。
【００２８】
優先度とは、イベント毎に付与される、どのイベントの告知情報を優先すべきかの順位を表す係数である。統括機１０のイベントデータベース３７上で係数が設定され、パラメータに応じて優先度が変化する。例えば、晴れ＝０．５、雨＝１．０と係数が設定されたとき、パラメータ（天気）が晴れから雨に変わった場合、優先度が上昇する。優先度が変化した場合に、待機中の告知情報の優先度と、新たに受信した優先度を比較し、優先度が高い方を提示する。すなわち、優先度が高い告知情報が書き込まれた電気泳動表示媒体を配布する。
【００２９】
表示比率とは、一つの電気泳動表示媒体に複数の告知情報を書き込む場合に、それぞれの告知情報が表示される面積の比率である。表示比率は、優先度に応じて段階的に変化し、統括機１０側で任意に設定できる。複数の告知情報を一つの電気泳動表示媒体に書き込む許可は、イベントデータベース３７上で設定される。表示比率計算部６０では、画像情報の縮小も行う。
【００３０】
搬送部５４は、管理者が使用済みの電気泳動表示媒体を入れる回収口６１と、回収部２５と、電気泳動表示媒体を格納する格納部２１と、書換部２２と、待機部２３と、被配布者６２に対して電気泳動表示媒体を提示する提示部２４と、例えば、折れ曲がったりして使用できなくなった電気泳動表示媒体を回収するための廃棄ボックス６６とを備えている。
【００３１】
本実施の形態では、待機部２３は、複数のキュー、すなわち順番待ち部を備えていても良い。例えば、本実施の形態では、３つの第１キュー６３、第２キュー６４及び第３キュー６５を備えている。キューとは、異なる情報が書き込まれた電気泳動表示媒体を保持し、提示部２４で被配布者６２に提示するまで待機させる場所を意味する。
【００３２】
各キュー６３、６４、６５に保持された書き換え済みの電気泳動表示媒体は、統括機１０から断続的に受信する、その時点のパラメータから算出した優先度が高い順に、提示部２４に供給される。その際、次いで優先度の高い告知情報が書き込まれた電気泳動表示媒体は、最も優先度が高い電気泳動表示媒体の提示部２４への供給が追い付かなくなった場合に備え、待機させることもできる。最も優先度の低い告知情報が書き込まれた電気泳動表示媒体は、新たな告知情報の受信に備え、電気泳動表示媒体を回収部２５へ戻し空の状態にしておく。本実施の形態では、優先度は統括機１０から配信され、優先度の判定機能、及び各キュー６３、６４、６５の動作の決定機能は書換機２０が具備している。
【００３３】
図５は、本実施の形態に係る書換機の搬送部を示す模式図である。なお、図５中の黒丸と破線は、図５中に示す搬送ローラ、搬送ベルト及び書換部２２が、図示しない駆動手段によって移動可能であることを意味し、黒丸がその位置を示し、破線がその軌道を意味している。
【００３４】
図５に示すように、書換機２０の下部には、第１格納部７１が備えられ、複数の電気泳動表示媒体７２が格納されている。
【００３５】
第１格納部７１に格納された電気泳動表示媒体７２は、搬送ローラ７３により第１格納部７１から搬出され、搬送ベルト７４、７５、７６を介して、書換部２２まで搬送されるように構成されている。
【００３６】
書換部２２において、電気泳動表示媒体７２に対して、書き換え、すなわち消去及び画像の書き込みが行われる。電気泳動表示媒体７２が未使用で、未だ画像が書き込まれていないのであれば、消去は行わなくても良い。
【００３７】
書換部２２は、電気泳動表示媒体７２を搬送するための搬送ベルト７７を備えている。搬送ベルト７７は、電気泳動表示媒体７２を書換位置まで運び、そこで電気泳動表示媒体７２を保持すると共に、画像が書き込まれた電気泳動表示媒体７２を、書換部２２の後段に設けられた待機部２３へ搬出することができるように構成されている。
【００３８】
待機部２３は、上述のように第１キュー６３、第２キュー６４及び第３キュー６５を備えている。第１キュー６３、第２キュー６４及び第３キュー６５は、電気泳動表示媒体７２を搬送・保持する搬送ベルトで構成されている。第１キュー６３、第２キュー６４及び第３キュー６５は、図５中に一点鎖線で示す移動位置Ｉ、移動位置ＩＩ及び移動位置ＩＩＩに図示しない駆動手段により移動できるようになっている。
【００３９】
書換部２２も、同様に、移動位置Ｉ、移動位置ＩＩ及び移動位置ＩＩＩに図示しない駆動手段により移動できるようになっている。すなわち、移動位置Ｉ、移動位置ＩＩ及び移動位置ＩＩＩのいずれにおいても、書換部２２から第１キュー６３、第２キュー６４又は第３キュー６５へ電気泳動表示媒体７２を搬出し、保持させることができるように構成されている。
【００４０】
第１キュー６３、第２キュー６４及び第３キュー６５は、移動位置ＩＩにおいて、さらに後段に設けられた提示用ローラ対７８の方向に向かって略水平に移動することができるようになっている。
【００４１】
移動位置ＩＩにおいて、第１キュー６３、第２キュー６４及び第３キュー６５のいずれか一つから搬出された電気泳動表示媒体７２は、提示用ローラ対７８に挿入される。提示用ローラ対７８は、電気泳動表示媒体７２を、書換機２０の前面側に設けられた提示口７９を介して外部に送り出し、電気泳動表示媒体７２の端部を挟持して、電気泳動表示媒体７２を被配布者が抜き取り可能に保持するように構成されている。
【００４２】
移動位置ＩＩＩの下方側には、回収用ベルト８０が備えられている。回収用ベルト８０は、書換機２０の側面部に設けられた回収口６１から挿入された、使用済みの電気泳動表示媒体７２を受け取るように構成されている。回収用ベルト８０の上方には、２つの搬送ローラ８２、８３が設けられている。
【００４３】
そして、使用済みの電気泳動表示媒体７２が、回収用ベルト８０の後段に設けられた搬送ベルト８４を介して第１格納部７１に戻されるように構成されている。
【００４４】
また、回収用ベルト８０の近傍には、図示しないセンサにより折れ曲がった電気泳動表示媒体８５を検出できるようになっている。折れ曲がった電気泳動表示媒体８５が検出されたならば、回収用ベルト８０の後段側の一端部が下方に下がり、廃棄ボックス６６に折れ曲がった電気泳動表示媒体８５を格納するように構成されている。
【００４５】
一方、第１キュー６３、第２キュー６４及び第３キュー６５のいずれか一つが移動位置ＩＩＩにあるとき、キューの前段側の一端部が下方向に下がり、キューが保持する、書換済みの電気泳動表示媒体７２が、ガイドベルト８７、搬送ベルト８４及びローラ９２を介して、回収用ベルト８０に運ばれ、回収用ベルト８０上で折れ曲がりの確認をした後、第２格納部８８に書換済みの電気泳動表示媒体７２を回収することができるように構成されている。
【００４６】
第２格納部８８に格納された電気泳動表示媒体７２は、搬送ローラ８９により第２格納部８８から搬出され、搬送ベルト９０、９１を介して、書換部２２まで搬送されるように構成されている。
【００４７】
提示部２４で提示用ローラ対７８により保持した電気泳動表示媒体７２が、提示の役割を終えた場合、提示されている電気泳動表示媒体は、同じ告知情報が書き込まれた電気泳動表示媒体を保持するキュー、または空のキューに戻される。その後、優先度の判定に従い、不要となれば移動位置ＩＩＩにキューが移動し、当該キューから第２格納部８８まで回収される。
【００４８】
各キュー６３、６４、６５において、図示しないセンサにより、折れ曲がった電気泳動表示媒体などを検出した場合、当該キューは移動位置ＩＩＩに移動し、そこから検出した電気泳動表示媒体のみを廃棄ボックス６６へ搬送する。
【００４９】
次に、本実施の形態に係る電気泳動表示媒体配布システムにおける各動作について説明する。
【００５０】
図６は、本実施の形態に係る電気泳動表示媒体配布システムにおける被配布者の電気泳動表示媒体の利用の手順を示すフローチャートである。まず、被配布者６２が書換機２０から提示された電気泳動表示媒体７２を視認する（Ｓ１１）。被配布者６２は、電気泳動表示媒体７２が必要か否か判断する（Ｓ１２）。必要であれば、電気泳動表示媒体（媒体）７２を書換機２０から引き抜く（Ｓ１３）。被配布者６２は、電気泳動表示媒体７２を携帯・閲覧する（Ｓ１４）。利用が済んだら、被配布者６２は、書換機２０の回収口６１又は回収場所に電気泳動表示媒体７２を戻す（Ｓ１５）。
【００５１】
図７は、本実施の形態に係る電気泳動表示媒体配布システムにおける統括機の動作を示すフローチャートである。まず、統括機１０において、演算部３１は、イベントデータベース３７及びパラメータデータベース３８の準備及びシステムの起動を行う（Ｓ２１）。次に、演算部３１の優先度算出部３９で優先度の算出を行うと共に、告知情報計算・処理部４０で告知情報の計算・処理を行い、告知情報を、通信デバイス３３を介して、書換機２０に送信する（Ｓ２２）。
【００５２】
その後、統括機１０は、イベントデータベース３７及びパラメータデータベース３８で更新が有ったか否か判定する（Ｓ２３）。更新が有った場合、優先度算出部３９で優先度の算出を再度行う（Ｓ２４）。その結果、優先度の順位変動が有ったか否かを判定する（Ｓ２５）。順位変動が有った場合、更新された告知情報を、通信デバイス３３を介して、書換機２０に送信する（Ｓ２６）。
【００５３】
図８は、本実施の形態に係る電気泳動表示媒体配布システムにおける書換機の動作を示すフローチャートである。まず、書換機２０が、統括機１０より告知情報を受信し、告知情報を書換部２２で電気泳動表示媒体（媒体）７２に書き込み、提示する（Ｓ３１）。最初の電気泳動表示媒体７２を提示した後、電気泳動表示媒体７２が抜き取られた場合に直ぐに次の電気泳動表示媒体７２を提示することに備え、キューに告知情報が書き込まれた２枚目以降の電気泳動表示媒体７２を保持させる。
【００５４】
次に、提示用ローラ対７８から電気泳動表示媒体７２が抜き取られた否か判定する（Ｓ３２）。
【００５５】
電気泳動表示媒体７２が抜き取られたならば、次の電気泳動表示媒体７２を提示し（Ｓ３３）、その後、待機する（Ｓ３４）。電気泳動表示媒体７２が抜き取られていない場合は、次の電気泳動表示媒体７２を提示せずに待機する（Ｓ３４）。
【００５６】
次に、統括機１０から更新された告知情報により提示内容を変動する優先順位の変動があったか否か判定する（Ｓ３５）。優先順位の変動がない場合、Ｓ３２に戻る。一方、優先順位の変動が有った場合、書き換え済みでキューに保持された電気泳動表示媒体７２及び提示用ローラ対７８に保持された電気泳動表示媒体７２（これらを旧媒体と呼ぶ）を回収する。また、統括機１０から受信した、更新された告知情報を電気泳動表示媒体７２に書き込み、提示する（Ｓ３６）。
【００５７】
第１〜第３キュー６３、６４、６５に保持された電気泳動表示媒体７２のいずれを提示するかを告知優先度に応じて決定する場合のアルゴリズムについて、スーパーマーケットの例を挙げて説明する。
【００５８】
今、第１イベントとして生鮮食品タイムセール（１１時〜１５時開催）が、第２イベントとしてヒーローショー（１１時と１５時に開催）が、第３イベントとしてレストラン早割クーポン（１０時〜１１時３０分の入店で割引になる割引券を媒体に表示）が、第４イベントとして服飾品のオータムセール（一日を通して実施）の４種のイベントが存在することとする。これらの告知優先度は、各イベントの開催時刻に対して、最適な告知タイミングで優先度が高くなるように設定される。説明を簡素化するため、時刻のみを優先度決定のパラメータとして記述するが、優先度決定のパラメータは、時刻に限定されず、統括機１０からの臨時の販促告知等の指示、ＰＯＳデータ、商品在庫、天気、来店者数、来店者の属性、各施設の混雑状況、書換機設置場所、書換機が複数台ある場合の各書換機の稼働状況、交通状況等、施設内外のコンディションを必要に応じてパラメータとして設定し得る。
【００５９】
告知優先度は、これらのパラメータそれぞれに優先度への状況に応じた寄与率が設定されており、それら寄与率を掛け合わせた数値を優先度とし、優先度が大きいイベントの告知優先度が高くなる。次の例では、パラメータが時刻のみであるため、寄与率＝優先度となる。
【００６０】
第１イベントの時刻の優先度への寄与率は、通常１．０で設定されており、１０時５５分〜１４時５５分に寄与率は１．６に上昇し、１４時５６分以降、寄与率は−１．０となる。第２イベントの時刻の優先度への寄与率は、通常１．０で設定されており、１０時〜１０時５０分および１４時〜１４時５０分に寄与率は２．０に上昇し、１４時５１分以降、寄与率は−１．０となる。第３イベントの時刻の優先度への寄与率は、通常１．０で設定されており、１０時〜１１時に寄与率は１．５に上昇し、１１時〜１１時２５分に寄与率は１．８に上昇し、１１時２６分以降、寄与率は−１．０となる。第４イベントの時刻の優先度への寄与率は、常に１．１である。告知が不要になった時刻の優先度への寄与率は、マイナスとしても良いし、他の告知情報との兼ね合いでゼロとしても良い。
【００６１】
図９は、本実施の形態に係る電気泳動表示媒体配布システムにおける優先度に応じた告知情報の変化を示す説明図である。図９に示すように、開店〜９時５９分までは、優先度１．１の第４イベントが告知される。１０時〜１０時４９分の間は、優先度２．０の第２イベントが告知される。１０時５０分〜１０時５４分の間は、優先度１．５の第３イベントが告知される。１０時５５分〜１０時５９分の間は、優先度１．６の第１イベントが告知される。１１時〜１１時２５分の間は、優先度１．８の第３イベントが告知される。１１時２６分〜１３時５９分の間は、優先度１．６の第１イベントが告知される。１４時〜１４時５０分の間は、優先度２．０の第２イベントが告知される。１４時５１分〜１４時５５分の間は、優先度１．６の第１イベントが告知される。１４時５６分以降は、優先度１．１の第４イベントが告知される。
【００６２】
これらの優先度は統括機１０で集計され、書換機２０に都度配信される。書換機２０内の第１〜第３キュー６３、６４、６５は、それぞれ保持された電気泳動表示媒体７２に書き込まれた告知情報の優先度により、役割を変化させる。最も優先度が高い告知情報が書き込まれた電気泳動表示媒体７２を保持するキューは、提示部２４と書換部２２に接続できる位置を行き来し、被配布者６２へ滞りなく電気泳動表示媒体７２を提供する。２番目に優先度が高い告知情報が書き込まれた電気泳動表示媒体７２を保持するキューは、最も優先度が高い告知情報が書き込まれた電気泳動表示媒体７２の書き込みが間に合わなくなった等、最も優先度が高い告知情報が書き込まれた電気泳動表示媒体７２を提供できなくなった場合や、最も高い優先度に変更された場合に備え、待機する。最も優先度が低い告知情報が書き込まれた電気泳動表示媒体７２を保持するキューは、待機するか、新たな告知情報が配信される場合に備え、保持する電気泳動表示媒体７２を、回収部２５を通じ格納部２１に排出してキューを空にしておく。いずれかのキューが詰まりなどにより使用不可となった場合、残るキューのみでオペレーションを継続することもできる。
【００６３】
次に、本実施の形態に係る書換機について説明する。図１０は、本実施の形態に係る書換機の一例を示す模式図である。書換機１００は、前面に電気泳動表示媒体１０１を提示するための提示口１０２が設けられ、側面部に電気泳動表示媒体１０１を回収するための回収口１０３が設けられている。
【００６４】
図１１は、本実施の形態に係る書換機の他の例を示す模式図である。図１１Ａに示すように、提示口１０２から垂れ下がった電気泳動表示媒体１０１が風や物理的な接触によって過度に揺れないように、枠状の提示ガイド１０４を設けても良い。
【００６５】
また、図１１Ｂに示すように、提示口１０２から垂れ下がった電気泳動表示媒体１０１への重力の影響を緩和するために、棚状の提示ガイド１０５を設け、電気泳動表示媒体１０１の下部を支えるようにしても良い。
【００６６】
図１２は、本実施の形態に係る書換機の他の例を示す模式図である。書換機１００は、内部で新しい告知情報に書き換えていることを示す書換中ランプ１０６を備えていても良い。また、書換機１００は、人体センサ１０７を具備し、被配布者６２が近づくと同時に電気泳動表示媒体１０１を提示するようにしても良い。
【００６７】
図１３は、本実施の形態に係る書換機の他の例を示す模式図である。書換機１００は、書換機１００のエラーを示すエラーランプ１０８及び新しい告知情報の受信を示す新着ランプ１０９を備えている。これにより、被配布者のストレスを軽減することができる。
【００６８】
次に、本実施の形態に係る電気泳動表示媒体について説明する。図１４は、本実施の形態に係る電気泳動表示装置を示す構成図である。この電気泳動表示装置２００は、マトリクス状に画素配置された表示部２０１と、表示部２０１に画像信号を供給するデータ線駆動回路２０２と、表示部２０１に走査信号を供給する走査線駆動回路（共通電極）２０３と、アクティブ素子２０１ａ、保持容量部２０１ｂ、インク部２０１ｃの各画素２１０に共通電位を与える共通電位供給回路２０４と、装置全体の動作を制御するコントローラ２０５と、を備えて構成される。このうち、アクティブ素子２０１ａ、保持容量部２０１ｂ、データ線駆動回路２０２、走査線駆動回路２０３、共通電位供給回路２０４およびコントローラ２０５は、駆動回路を構成する。本実施の形態では、インク部２０１ｃが電気泳動表示媒体７２に相当し、駆動回路は、書換機２０の書換部２２が備えている。
【００６９】
図１５は、本実施の形態に係る電気泳動表示装置の一例を示す模式図である。図１５に示すように、インク部２０１ｃは、封止膜２１１と共通電極２１２にはさまれて保持される。封止膜２１１は適切な抵抗値にコントロールされた樹脂フィルム又は膜厚方向に導通し、面方向には絶縁となる異方導電性のフィルムであり、封止膜２１１に書換機２０の電極（書換機電極）２１３を接触させることで、封止膜２１１を介して書換機電極２１３と共通電極２１２間に封止されているインクに電圧を印加する。
【００７０】
共通電極２１２には共通電位供給回路２０４より共通電位Ｖｃｏｍを与えておき、書換機電極２１３からは高電位ＶＨ又は低電位ＶＬを出力する。このようにすることで、インクに電圧を印加し、書き換えを行う。
【００７１】
図１５に示すように、書換機電極２１３がインク部２０１ｃ、すなわち電気泳動表示媒体７２と同サイズの場合、書換機電極２１３を封止膜２１１を介してインク部２０１ｃに押し付けた後は一般的な電気泳動表示装置と同様にして書き換えを行う。すなわち、走査線駆動回路２０３は、コントローラ２０５から供給されるタイミング信号に基づいて、各走査線（Ｙ１，Ｙ２，…Ｙｍ）に固定パルス幅の走査信号を順次供給する。これにより、駆動対象となる画素２１０に対して、走査信号が供給される。走査信号によって階調制御対象となる画素２１０を選択するので、走査信号のことを選択信号と呼ぶこともできる。
【００７２】
インク部２０１ｃを構成する各画素２１０には、共通電極２１２から共通電位供給回路２０４を介して共通電位Ｖｃｏｍが印加される。共通電位Ｖｃｏｍは、高電位ＶＨ（例えば、４０Ｖ）又は低電位ＶＬ（例えば、０Ｖ）である。
【００７３】
コントローラ２０５は、クロック信号、スタートパルス等のタイミング信号を、データ線駆動回路２０２、走査線駆動回路２０３及び共通電位供給回路２０４に供給して各回路を制御する。コントローラ２０５は、対象画素の階調データをデータ線駆動回路２０２又は共通電位供給回路２０４に供給する。データ線駆動回路２０２又は共通電位供給回路２０４は、階調データに応じて書込みパルスの印加回数および電圧値を決定し、走査線駆動回路２０３の画素行選択動作に同期して対象画素に画像信号又は共通電位を供給する。
【００７４】
また、書換機電極は電気泳動表示媒体７２と同サイズである必要はない。図１６は、本実施の形態に係る電気泳動表示装置の他の例を示す模式図である。例えば、図１６に示すように、書換機電極２２０は、ローラ状であってもよい。この場合、表示部２０１の書き換えはローラ状の書換機電極２２０が接触している１行又は複数行のみに電圧を印加して書き換え、その後、書換機電極２２０を順次移動させて接触行を変更しながら同様に電圧を印加して書き換えて全表示を書き換える。また、ローラ状の書換機電極は複数あってもよい。この場合、表示部２０１の書換は複数のローラ状の書換機電極で分割して書換を行う。このため、１つのローラ状の書換機電極２２０で書き換えるよりも高速に書き換えることが可能である。
【００７５】
また、本実施の形態に係る電気泳動表示媒体は、視認側及び書換側を容易に区別できるように、例えば、書換側に着色を施しても良い。
【００７６】
また、本実施の形態に係る電気泳動表示媒体は、書き換えを確認するための確認部を視認側に設けても良い。確認部には、例えば、ＱＲコード（登録商標）を利用することができる。
【００７７】
また、本実施の形態に係る電気泳動表示媒体は、搬送しやすいように、突起やシボを設けても良い。突起やシボは、両面に設けても片面に設けても良い。
【００７８】
また、本実施の形態に係る電気泳動表示媒体には折り目を設け、折り畳めるようにしても良い。
【００７９】
また、本実施の形態に係る電気泳動表示媒体は、必要以上に折り曲がらないように、周囲に剛性のある枠体を設けても良い。枠体は衝撃を吸収する材料で構成されていても良い。
【００８０】
図１７は、本実施の形態に係る電気泳動表示媒体の一例を示す部分拡大図及び側面図である。図１７Ａ及び図１７Ｂに示すように、例えば、電気泳動表示媒体３００の枠体３０１の上辺部に、複数の突起３０２を設け、突起３０２がある側が視認側（上側）、突起３０２がない平坦な側が書換側（下側）であることが容易に判別できるようにしても良い。突起３０２を枠体３０１の上辺部に設けることは、提示用ローラ対７８により電気泳動表示媒体３００を容易に保持できる点で好ましい。
【００８１】
図１８は、本実施の形態に係る電気泳動表示媒体の他の例を示す部分拡大断面図である。図１８に示すように、２つの電気泳動表示媒体４００ａ、４００ｂの枠体４０１ａ、４０１ｂの上辺部に視認側（上側）に突起４０２ａ、４０２ｂを設け、書換側（下側）に凹部４０３ａ、４０３ｂを設けることにより、２つの電気泳動表示媒体４００ａ、４００ｂを正しく積み重ねたときにだけ、上側の電気泳動表示媒体４００ａの凹部４０３ａに、下側の電気泳動表示媒体４００ｂの突起４０２ｂが嵌合することができるので、正しい方向以外では積み重ねることができない。この構成により、管理者４４は複数の電気泳動表示媒体を正しい方向で積み重ねて第１格納部７１に格納させることができる。
【００８２】
また、本実施の形態に係る書換機２０は、電気泳動表示媒体７２の書換面に書き換えを阻害するゴミなどが付着しないように、書換機２０の書換部２２の前後で保護フィルムを着脱する機構を設けることもできる。また、書換機２０の内部には、電気泳動表示媒体７２からゴミを取り除くクリーニングローラ等によるクリーニング機構を設けても良い。クリーニング機構は電気泳動表示媒体７２の帯電を除去する除電機構を有しても良い。
【００８３】
また、本実施の形態に係る書換機２０は、電気泳動表示媒体７２を提示部２４から引き抜く際、優先度が変更されたために提示部２４から回収中であったり、提示部２４へ供給するローラで送り出している最中であったりした場合は、引き抜かれる抵抗を検知したローラが、電気泳動表示媒体７２を保持しなくなり、電気泳動表示媒体７２を抵抗なく抜き取らせるようにしても良い。
【００８４】
以上説明したように、本実施の形態に係る電気泳動表示媒体配布システムによれば、被配布者６２は、書換機２０の提示部２４から告知情報が書き込まれた電気泳動表示媒体７２を引き抜き、配布を受けることができる。また、告知情報が画像として書き込まれた電気泳動表示媒体７２を待機部２３に待機させ、提示部２４から電気泳動表示媒体７２が抜き取られたならば、待機部２３から提示部２４に電気泳動表示媒体７２を供給することにより、直ちに電気泳動表示媒体７２を配布可能な状態にすることができる。さらに、新しい告知情報を電気泳動表示媒体７２に書き込む際には、回収部２５により提示部２４及び待機部２３から電気泳動表示媒体７２を回収して格納部２１に格納することにより、画像が書き込まれた電気泳動表示媒体７２を再利用することができる。
【００８５】
この結果、被配布者６２に今欲しい情報をスピィーディに提供し、時間的な無駄がなく内容を確認させることができると共に、電気泳動表示媒体７２を有効に利用することができる。
【００８６】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【産業上の利用可能性】
【００８７】
本発明の電気泳動表示媒体配布装置は、例えば、イベントの告知のための情報が書き込まれた電気泳動表示媒体を配布するために好適に使用される。
【符号の説明】
【００８８】
１０  統括機
２０  書換機
２１  格納部
２２  書換部
２３  待機部
２４  提示部
２５  回収部
６２  被配布者
６３  第１キュー
６４  第２キュー
６５  第３キュー
７２、１０１、３００、４００ａ、４００ｂ  電気泳動表示媒体
２００  電気泳動表示装置
【図１】
2016080905.tif 000003
【図２】
2016080905.tif 000004
【図３】
2016080905.tif 000005
【図４】
2016080905.tif 000006
【図５】
2016080905.tif 000007
【図６】
2016080905.tif 000008
【図７】
2016080905.tif 000009
【図８】
2016080905.tif 000010
【図９】
2016080905.tif 000011
【図１０】
2016080905.tif 000012
【図１１】
2016080905.tif 000013
【図１２】
2016080905.tif 000014
【図１３】
2016080905.tif 000015
【図１４】
2016080905.tif 000016
【図１５】
2016080905.tif 000017
【図１６】
2016080905.tif 000018
【図１７】
2016080905.tif 000019
【図１８】
2016080905.tif 000020